(57)【要約】      （修正有）【課題】家畜又は実験用動物の家屋に関し、機能が完備し、使用、収納及び運送が便利な剛性を有するペット用軟質囲いを提供する。【解決手段】フレーム体と軟質材料で作られた籠体を含み、籠体はフレーム体によって保持され、フレーム体は同様な寸法の八個の保持輪を有する。八個の保持輪は四角形であり、剛性保持輪と軟性保持輪を含み、剛性保持輪と軟性保持輪は交互的に配置され、且つ籠体を介して隣接する。籠体の一つの側面に籠ドアが設けられ、籠体の少なくとも一つの側面に網が設けられ、網の下部に物入れが設けられる。籠体の上部に籠蓋が設けられ、籠蓋と籠体の間にファスナーが設けられる。ドアにめくり上げ式又はめくり下げ式のカーテン又は扉が設けられる。【選択図】図１
0003163187.tif 000002
【実用新案登録請求の範囲】
【請求項１】
剛性を有するペット用軟質囲いであって、
フレーム体と軟質材料で作られた籠体とを含み、前記籠体は前記フレーム体によって保持され、前記フレーム体は同様な寸法の八個の保持輪を有し、前記八個の保持輪は四角形であり、四個の剛性保持輪と四個の軟性保持輪を含み、前記四個の剛性保持輪と前記四個の軟性保持輪は交互的に配置され、且つ前記籠体を介して隣接し、前記籠体の一つの側面に籠ドアが設けられ、前記剛性保持輪は折り曲げられない保持輪であり、前記軟性保持輪は折り曲げ可能な保持輪であることを特徴とする剛性を有するペット用軟質囲い。
【請求項２】
前記軟質材料は編物から選択され、前記保持輪は鋼鉄線輪であることを特徴とする請求項１に記載の剛性を有するペット用軟質囲い。
【請求項３】
前記籠ドアにカーテン又は扉が設けられ、前記カーテン又は扉はめくり上げ式のカーテン又は扉であり、前記カーテン又は扉の左側、下側及び右側と前記籠ドアの間にファスナーが設けられ、或いは前記カーテン又は扉はめくり下げ式のカーテン又は扉であり、前記カーテン又は扉の左側、上側及び右側と前記籠ドアの間にファスナーが設けられ、或いは前記カーテン又は扉は左／右めくり式のカーテン又は扉であり、前記カーテン又は扉の上側、右側及び下側と前記籠ドアの間又は前記カーテン又は扉の上側、左側及び下側と前記籠ドアの間にファスナーが設けられることを特徴とする請求項１に記載の剛性を有するペット用軟質囲い。
【請求項４】
前記カーテン又は扉にナイロン材のバックルが設けられ、且つ前記籠ドアの周辺にも対応するナイロン材のバックルが設けられ、前記カーテン又は扉に網が設けられることを特徴とする請求項１又は４に記載の剛性を有するペット用軟質囲い。
【請求項５】
前記籠体の少なくとも一つの側面に網が設けられることを特徴とする請求項１に記載の剛性を有するペット用軟質囲い。
【請求項６】
前記籠体の少なくとも一つの側面における前記網の下部に物入れが設けられることを特徴とする請求項１に記載の剛性を有するペット用軟質囲い。
【請求項７】
前記籠体に弾力性のある縛りベルトが設けられ、前記籠体に少なくとも一つの固定ベルトが設けられることを特徴とする請求項１に記載の剛性を有するペット用軟質囲い。
【請求項８】
前記籠体の上部に籠蓋が設けられることを特徴とする請求項１に記載の剛性を有するペット用軟質囲い。
【請求項９】
前記籠蓋と前記籠体の間にファスナーが設けられ、当該ファスナーは分解可能なファスナーであることを特徴とする請求項８に記載の剛性を有するペット用軟質囲い。
【請求項１０】
前記籠蓋に網が設けられることを特徴とする請求項８又は９に記載の剛性を有するペット用軟質囲い。
【考案の詳細な説明】
【技術分野】
【０００１】
本考案は家畜又は実験用動物の家屋に関し、特に剛性を有するペット用軟質囲いに関する。
【背景技術】
【０００２】
従来のペット用籠は、木製、柳編み、金属や織物及び類似物で作られるのが普通であった。しかし、このようなペット用籠は洗浄、携帯及び収納に不便である。一方、バックタイプテントは柔らかすぎて、背丈の大きいペットが使用するのに不便であった。
【考案の概要】
【考案が解決しようとする課題】
【０００３】
本考案は、従来のペット用籠が使用上不便であり、機能が単一であることを鑑み、機能が完備して、使用、収納及び運送が便利な剛性を有するペット用軟質囲いを提供することを目的とする。
【課題を解決するための手段】
【０００４】
本考案はフレーム体と軟質材料で作られた籠体を含み、籠体はフレーム体によって保持され、前記フレーム体は同様な寸法の八個の保持輪を有する。この八個の保持輪は四角形であり、四個の剛性保持輪と四個の軟性保持輪を含む。四個の剛性保持輪と四個の軟性保持輪は交互的に配置され、且つ籠体を介して隣接する。籠体の一つの側面に籠ドアが設けられる。前記剛性保持輪は折り曲げられない保持輪であり、軟性保持輪は折り曲げ可能な保持輪である。
【０００５】
前記軟質材料は編物又は類似物から選択される。前記保持輪は鋼鉄線輪又はプラスチック輪である。籠体の上部に籠蓋が設けられ、籠蓋と籠体の間にファスナーが設けられる。ファスナーは分解可能なファスナーである。そのため、籠蓋と籠体は分離可能であり、ファスナーを介して連結することもできる。籠蓋には網を設けるのが好ましい。前記籠ドアにカーテン又は扉が設けられ、前記カーテン又は扉はめくり上げ式のカーテン又は扉であり、カーテン又は扉の左側、下側及び右側と籠ドアの間にファスナーが設けられる。前記カーテン又は扉はめくり下げ式のカーテン又は扉であり、カーテン又は扉の左側、上側及び右側と籠ドアの間にファスナーが設けられる。前記カーテン又は扉は左／右めくり式のカーテン又は扉であり、カーテン又は扉の上側、右側及び下側と籠ドアの間又はカーテン又は扉の上側、左側及び下側と籠ドアの間にファスナーが設けられる。めくり上げたカーテン又は扉を固定するように、カーテン又は扉にナイロン材のバックルが設けられ、且つ籠ドアの周辺にも対応するナイロン材のバックルが設けられる。カーテン又は扉に網が設けられる。ペット用籠を折り畳んで縛って収納するように、籠体に弾力性のある縛りベルトが設けられる。ペット用籠を希望する所に固定するように、籠体に少なくとも一つの固定ベルトが設けられる。上述の籠体とフレーム体の外部に包み袋が設けられる。
【０００６】
籠体の少なくとも一つの側面に網が設けられ、籠体の少なくとも一つの側面における網の下部に物入れが設けられる。
【考案の効果】
【０００７】
本考案のフレーム体は四個の軟性保持輪と四個の剛性保持輪で構成され、軟性保持輪は折り曲げやすい材料であり、四個の軟性保持輪と四個の剛性保持輪は交互的に配置され、且つ軟質材料から構成された籠体を介して連結される。従って、収納する際に、四個の軟性保持輪から構成された平面を相対的に捩じ曲げるだけで、四個の剛性保持輪をそれぞれ隣接する軟性保持輪に畳むことができ、ペット用籠の全体を扁形構造に折り畳んで、弾力性のある縛りベルトで縛って固定することができる。これによって、従来のペット用籠に対し、使用、収納、携帯及び運送上便利である。使用する際に、折り畳んだ籠体を締めた縛りベルトを外すだけで、八個の保持輪を広げることができ、籠体は八個の保持輪によって八角柱のペット用籠になる。一方、ペット用籠の上部に籠蓋を加えることで、完備したペット用籠を構成することができる。籠体の少なくとも一つの側面に網、籠ドア及び対応するファスナー、バックルなどが設けられているため、ペットに優しい生活環境を提供する。
【図面の簡単な説明】
【０００８】
【図１】本考案の第一実施例の斜視図である。
【図２】本考案の第一実施例の折り畳み状態を示す図である。
【図３】本考案の第二実施例の籠体の側辺を広げた状態を示す図である。
【考案を実施するための形態】
【実施例１】
【０００９】
図１及び図２を参照するに、本考案はフレーム体、テリレン（terylene）編物材料から作られた籠体２及び籠蓋３を含む。籠体はフレーム体によって保持され、フレーム体は同様な寸法の八個の保持輪を有する。この八個の保持輪は四角形であり、四個の剛性保持輪１１と四個の軟性保持輪１２を含む。四個の剛性保持輪１１と四個の軟性保持輪１２は交互的に配置され、且つ籠体２を介して隣接する。籠体２の上部には籠体２と籠蓋３を連結するようにファスナー４が設けられる。籠体２の一つの側面に籠ドア５が設けられ、籠体２の他の側面に網６が設けられる。籠体２の二つの側面における網６の下部にそれぞれ蓋付き物入れ７が設けられ、籠体２の別の一つの側面における網６の下部に蓋のない物入れ８が設けられる。四個の剛性保持輪１１は折り曲げられない保持輪であり、直径が大きい剛性の鋼鉄線で作られる。四個の軟性保持輪１２は折り曲げ可能な保持輪であり、直径が小さい軟性の鋼鉄線で作られる。
【００１０】
籠体の材料は、他の編物材料又は類似物から選択しても良い。上述の保持輪もプラスチック輪で作っても良い。
【００１１】
籠ドア５にカーテン又は扉５１が設けられ、カーテン又は扉５１はめくり上げ式のカーテン又は扉であり、カーテン又は扉の左側、下側及び右側と籠ドアの間にファスナー５２が設けられる。めくり上げたカーテン又は扉を固定するように、カーテン又は扉５１にナイロン材のバックル５３が設けられ、且つ籠ドア５の周辺にも対応するナイロン材のバックル５４が設けられる。カーテン又は扉５１に網が設けられる。
【００１２】
ペット用籠を折り畳んだ後縛って収納するように、籠体２に弾力性のある縛りベルト９が設けられる。
【００１３】
また、ペット用籠を希望する所に固定するように、籠体２に少なくとも一つの固定ベルトが設けられる。
【００１４】
上述の籠体とフレーム体の外部に包み袋が設けられる。
【実施例２】
【００１５】
図３を参照するに、第一実施例と同様に、籠体２はフレーム体によって保持され、フレーム体は同様な寸法の八個の保持輪を有する。この八個の保持輪は四角形であり、四個の剛性保持輪１１と四個の軟性保持輪１２を含む。四個の剛性保持輪１１と四個の軟性保持輪１２は交互的に配置され、且つ籠体２を介して隣接する。籠体２の二つの側面に籠ドア５が設けられ、籠体２の他の側面に網６が設けられる。籠体２の二つの側面における網６の下部にそれぞれ蓋付き物入れ７が設けられ、籠体２の別の一つの側面における網６の下部に蓋のない物入れ８が設けられる。四個の剛性保持輪１１は折り曲げられない保持輪であり、直径が大きい剛性の鋼鉄線で作られる。四個の軟性保持輪１２は折り曲げ可能な保持輪であり、直径が小さい軟性の鋼鉄線で作られる。
【００１６】
籠ドア５にカーテン又は扉が設けられ、カーテン又は扉はめくり上げ式のカーテン又は扉であり、カーテン又は扉の左側、下側及び右側と籠ドアの間にファスナー５２が設けられる。めくり上げたカーテン又は扉を固定するように、カーテン又は扉にナイロン材のバックル５３が設けられ、且つ籠ドア５の周辺にも対応するナイロン材のバックル５４が設けられる。
【図１】
0003163187.tif 000003
【図２】
0003163187.tif 000004
【図３】
0003163187.tif 000005
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
剛性を有するペット用軟質囲いであって、
フレーム体と軟質材料で作られた籠体とを含み、前記籠体は前記フレーム体によって保持され、前記フレーム体は同様な寸法の八個の保持輪を有し、前記八個の保持輪は四角形であり、四個の剛性保持輪と四個の軟性保持輪を含み、前記四個の剛性保持輪と前記四個の軟性保持輪は交互的に配置され、且つ前記籠体を介して隣接し、前記籠体の一つの側面に籠ドアが設けられ、前記剛性保持輪は折り曲げられない保持輪であり、前記軟性保持輪は折り曲げ可能な保持輪であることを特徴とする剛性を有するペット用軟質囲い。
【請求項２】
前記軟質材料は編物から選択され、前記保持輪は鋼鉄線輪であることを特徴とする請求項１に記載の剛性を有するペット用軟質囲い。
【請求項３】
前記籠ドアにカーテン又は扉が設けられ、前記カーテン又は扉はめくり上げ式のカーテン又は扉であり、前記カーテン又は扉の左側、下側及び右側と前記籠ドアの間にファスナーが設けられ、或いは前記カーテン又は扉はめくり下げ式のカーテン又は扉であり、前記カーテン又は扉の左側、上側及び右側と前記籠ドアの間にファスナーが設けられ、或いは前記カーテン又は扉は左／右めくり式のカーテン又は扉であり、前記カーテン又は扉の上側、右側及び下側と前記籠ドアの間又は前記カーテン又は扉の上側、左側及び下側と前記籠ドアの間にファスナーが設けられることを特徴とする請求項１に記載の剛性を有するペット用軟質囲い。
【請求項４】
カーテン又は扉にナイロン材のバックルが設けられ、且つ前記籠ドアの周辺にも対応するナイロン材のバックルが設けられ、前記カーテン又は扉に網が設けられることを特徴とする請求項１に記載の剛性を有するペット用軟質囲い。
【請求項５】
前記籠体の少なくとも一つの側面に網が設けられることを特徴とする請求項１に記載の剛性を有するペット用軟質囲い。
【請求項６】
前記籠体の少なくとも一つの側面における前記網の下部に物入れが設けられることを特徴とする請求項１に記載の剛性を有するペット用軟質囲い。
【請求項７】
前記籠体に弾力性のある縛りベルトが設けられ、前記籠体に少なくとも一つの固定ベルトが設けられることを特徴とする請求項１に記載の剛性を有するペット用軟質囲い。
【請求項８】
前記籠体の上部に籠蓋が設けられることを特徴とする請求項１に記載の剛性を有するペット用軟質囲い。
【請求項９】
前記籠蓋と前記籠体の間にファスナーが設けられ、当該ファスナーは分解可能なファスナーであることを特徴とする請求項８に記載の剛性を有するペット用軟質囲い。
【請求項１０】
前記籠蓋に網が設けられることを特徴とする請求項８又は９に記載の剛性を有するペット用軟質囲い。
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
剛性を有するペット用軟質囲いであって、
フレーム体と軟質材料で作られた籠体とを含み、前記籠体は前記フレーム体によって保持され、前記フレーム体は同様な寸法の八個の保持輪を有し、前記八個の保持輪は四角形であり、四個の剛性保持輪と四個の軟性保持輪を含み、前記四個の剛性保持輪と前記四個の軟性保持輪は交互的に配置され、且つ前記籠体を介して隣接し、前記籠体の一つの側面に籠ドアが設けられ、前記剛性保持輪は折り曲げられない保持輪であり、前記軟性保持輪は折り曲げ可能な保持輪であることを特徴とする剛性を有するペット用軟質囲い。
【請求項２】
前記軟質材料は編物から選択され、前記保持輪は鋼鉄線輪であることを特徴とする請求項１に記載の剛性を有するペット用軟質囲い。
【請求項３】
前記籠ドアにカーテン又は扉が設けられ、前記カーテン又は扉はめくり上げ式のカーテン又は扉であり、前記カーテン又は扉の左側、下側及び右側と前記籠ドアの間にファスナーが設けられ、或いは前記カーテン又は扉はめくり下げ式のカーテン又は扉であり、前記カーテン又は扉の左側、上側及び右側と前記籠ドアの間にファスナーが設けられ、或いは前記カーテン又は扉は左／右めくり式のカーテン又は扉であり、前記カーテン又は扉の上側、右側及び下側と前記籠ドアの間又は前記カーテン又は扉の上側、左側及び下側と前記籠ドアの間にファスナーが設けられることを特徴とする請求項１に記載の剛性を有するペット用軟質囲い。
【請求項４】
前記籠ドアにカーテン又は扉が設けられ、前記カーテン又は扉にナイロン材のバックルが設けられ、且つ前記籠ドアの周辺にも対応するナイロン材のバックルが設けられ、前記カーテン又は扉に網が設けられることを特徴とする請求項１に記載の剛性を有するペット用軟質囲い。
【請求項５】
前記籠体の少なくとも一つの側面に網が設けられることを特徴とする請求項１に記載の剛性を有するペット用軟質囲い。
【請求項６】
前記籠体の少なくとも一つの側面における前記網の下部に物入れが設けられることを特徴とする請求項１に記載の剛性を有するペット用軟質囲い。
【請求項７】
前記籠体に弾力性のある縛りベルトが設けられ、前記籠体に少なくとも一つの固定ベルトが設けられることを特徴とする請求項１に記載の剛性を有するペット用軟質囲い。
【請求項８】
前記籠体の上部に籠蓋が設けられることを特徴とする請求項１に記載の剛性を有するペット用軟質囲い。
【請求項９】
前記籠蓋と前記籠体の間にファスナーが設けられ、当該ファスナーは分解可能なファスナーであることを特徴とする請求項８に記載の剛性を有するペット用軟質囲い。
【請求項１０】
前記籠蓋に網が設けられることを特徴とする請求項８又は９に記載の剛性を有するペット用軟質囲い。